(57)【特許請求の範囲】
【請求項１】
基準長さとその整数倍とによる異高複数種の連結支柱と，外側囲繞用及び中間土留め用の専用２種のパネルとを用いて平面全面又は平面外周を桝目形状にして上下方向段状の自由度の高い花壇を形成できるようにした組立式土留めフレームであって，上記異高複数種の連結支柱を，４隅のコーナーに嵌合用一方にして共通形状の支柱係合条を先端の受入空隙を介して離隔一対配設することにより隣接する各コーナー間にそれぞれ両側端に上記各支柱係合条を一対有して外周４面に共通の各支柱連結部を形成した角柱状等の所定形状とし，上記専用２種のパネルを，外側囲繞用をコ字状，中間土留め用をフラットとする如くにこれら外側囲繞用と中間土留め用とで異形の断面形状としたパネル基体及び該パネル基体にネジ固定して上記連結支柱の支柱係合条にスライド嵌合自在にして嵌合用他方のパネル係合条をそれぞれ離隔一対配設することにより長手方向両側にそれぞれ両側端に上記パネル係合条を一対有して長手方向両側に共通にして上記連結支柱における任意の支柱連結部にスライド嵌合自在とし且つ上記外側囲繞用にあって上記基準長さの連結支柱と同長とし中間土留め用にあって該基準長さの連結支柱より短い高さとしたパネル基体とによって分離形成してなることを特徴とする花壇の組立式土留めフレーム。
【請求項２】
上記基準長さとその整数倍とによる異高複数種の連結支柱に代えて，連結支柱を連結手段によって連結自在とする基準長さによる同高単一種の連結支柱を用いてなることを特徴とする請求項１に記載の花壇の組立式土留めフレーム。
【請求項３】
請求項１又は２に記載の組立式土留めフレームを用いて平面前面又は平面外周を桝目形状とし且つ上下方向段状に組立設置してなる組立式土留めフレームを用いた花壇。
【発明の詳細な説明】
【０００１】
【発明の属する技術分野】
本発明は，花壇を地表，デッキ，屋上，玄関ホール等に設置するに好適に用い得る花壇の組立式土留めフレーム及びこれを用いた花壇に関する。
【０００２】
【発明が解決しようとする課題】
樹木，草花等を植栽して緑化や美観の向上，美観ポイントの形成のために設置される花壇は，例えば造園業者が土木工事によって形成し，或いは簡易なものは，レンガ等の縁石を配置し，盛り土を施すことによって形成するものとされているが，前者は工事が大がかりになり，工期を必要とし，煩雑であるし，後者は，盛り土の荷重に耐え難く，土留めの効果を得られず，崩れを生じやすく，また花壇のデザインが単調になりやすい。
【０００３】
本発明はかかる事情に鑑みてなされたもので，その解決課題とする処は，大型のものを含めて，花壇を簡易且つ確実に形成し得るとともに土留め効果が高く，強度と耐久性を確保し，花壇デザインの自由度を確保し，また必要に応じて容易に撤去できるようにした花壇の組立式土留めフレームを提供するにあり，また該組み立て式土留めフレームを用いて自由度を向上し，デザインの多様化を図れるようにした花壇を提供するにある。
【０００４】
【課題を解決するための手段】
上記課題に添って本発明は，基準長さとその整数倍とによる異高複数種の連結支柱と，外側囲繞用及び中間土留め用の専用２種のパネルとを組合せ使用し，盛り土を施すことによって平面全面又は平面外周を桝目形状にして上下方向段状の自由度の高い花壇を形成するとともにその土留めを効果的に行うようにし，このとき上記連結支柱の外周４面に共通の支柱連結部を形成する一方，該支柱連結部にスライド嵌合自在にして同じく共通のパネル連結部を，上記パネルの長手方向両側に形成することによって，連結支柱の任意の面にパネルを連結可能にし，連結支柱の複数面にパネルの連結を行うことにより，外側を外側囲繞用のパネルで囲繞し且つ内側に中間土留め用のパネルを配するようにしてその組み立て設置を行うようにしたものであって，即ち請求項１に記載の発明を，基準長さとその整数倍とによる異高複数種の連結支柱と，外側囲繞用及び中間土留め用の専用２種のパネルとを用いて平面全面又は平面外周を桝目形状にして上下方向段状の自由度の高い花壇を形成できるようにした組立式土留めフレームであって，上記異高複数種の連結支柱を，４隅のコーナーに嵌合用一方にして共通形状の支柱係合条を先端の受入空隙を介して離隔一対配設することにより隣接する各コーナー間にそれぞれ両側端に上記各支柱係合条を一対有して外周４面に共通の各支柱連結部を形成した角柱状等の所定形状とし，上記専用２種のパネルを，外側囲繞用をコ字状，中間土留め用をフラットとする如くにこれら外側囲繞用と中間土留め用とで異形の断面形状としたパネル基体及び該パネル基体にネジ固定して上記連結支柱の支柱係合条にスライド嵌合自在にして嵌合用他方のパネル係合条をそれぞれ離隔一対配設することにより長手方向両側にそれぞれ両側端に上記パネル係合条を一対有して長手方向両側に共通にして上記連結支柱における任意の支柱連結部にスライド嵌合自在とし且つ上記外側囲繞用にあって上記基準長さの連結支柱と同長とし中間土留め用にあって該基準長さの連結支柱より短い高さとしたパネル基体とによって分離形成してなることを特徴とする花壇の組立式土留めフレームとしたものである。
【０００５】
請求項２に記載の発明は，連結支柱を上記異高複数種のものに代えた形態とするように，これを，上記基準長さとその整数倍とによる異高複数種の連結支柱に代えて，連結支柱を連結手段によって連結自在とする基準長さによる同高単一種の連結支柱を用いてなることを特徴とする請求項１に記載の花壇の組立式土留めフレームとしたものである。
【０００６】
請求項３に記載の発明は，上記組み立て式土留めフレームを用いて自由度を向上し，デザインの多様化を図れるようにした花壇を提供するように，これを，請求項１又は２に記載の組立式土留めフレームを用いて平面前面又は平面外周を桝目形状とし且つ上下方向段状に組立設置してなる組立式土留めフレームを用いた花壇としたものである。
【０００７】
本発明は，これらをそれぞれ発明の要旨とすることによって上記課題解決の手段としたものである。
【０００８】
【発明の実施の形態】
以下図面の例に従って本発明を更に具体的に説明すれば，Ａは，図示省略の盛り土を施すことによって花壇を形成する組立式の土留めフレームであり，該土留めフレームＡは，基準長さとその整数倍とによる異高複数種の連結支柱１と，外側囲繞用及び中間土留め用の専用２種のパネル１０ａ，１０ｂとを用いて平面全面又は平面外周を桝目形状にして上下方向段状の自由度の高い花壇を形成できるようにしてあり，このとき上記異高複数種の連結支柱１は，これを，４隅のコーナーに嵌合用一方にして共通形状の支柱係合条４を先端の受入空隙を介して離隔一対配設することにより隣接する各コーナー間にそれぞれ両側端に上記各支柱係合条４を一対有して外周４面に共通の各支柱連結部２を形成した角柱状等の所定形状とし，上記専用２種のパネル１０ａ，１０ｂを，外側囲繞用をコ字状，中間土留め用をフラットとする如くにこれら外側囲繞用と中間土留め用とで異形の断面形状としたパネル基体１１及び該パネル基体１１にネジ固定して上記連結支柱１の支柱係合条４にスライド嵌合自在にして嵌合用他方のパネル係合条４をそれぞれ離隔一対配設することにより長手方向両側にそれぞれ両側端に上記パネル係合条４を一対有して長手方向両側に共通にして上記連結支柱１における任意の支柱連結部２にスライド嵌合自在とし且つ上記外側囲繞用にあって上記基準長さの連結支柱と同長とし中間土留め用にあって該基準長さの連結支柱１より短い高さとしたパネル基体１１とによって分離形成したものとしてある。
【０００９】
本例にあって，土留めフレームＡの上記連結支柱１は，これを，アルミの押し出し成形材によって形成してあり，該本例の連結支柱１は，これを中間に連結壁３を介設し，一側を開放した開放面を有する角柱状のものとし，その４隅の各コーナーに，該コーナーをＣ字状に凹陥する如くにして，角柱状の各側面又は上記開放面をコーナー方向に短突出して延長するようにし且つ上記Ｃ字状の先端に位置するように，突出形成した離隔一対の突条を備えるとともに，上記Ｃ字状に凹陥した部分の開口を受入空隙５とし，上記一対の突条をその先端の該受入空隙５を介して配設することによって，これら離隔一対の突条を，嵌合用一方にして共通形状の支柱係合条４としたものとしてあり，該離隔一対のうち上記角柱状の側面又は開放面側に位置する突条，即ち支柱係合条４を一対として，それぞれ角柱状の連結支柱１における外周４面に共通の支柱連結部２を形成したものとしてある。
【００１０】
このとき連結支柱１は，上記支柱連結部２を一連一体に備えて押し出し成形して，上記アルミの押し出し成形材とし，これを，例えば基準長さのものとその２倍長さのものとするように，基準長さの整数倍とした異高複数の長さに切断することにより，上記土留めフレームＡ用の連結支柱１としたものとしてある。
【００１１】
一方本例にあって外側囲繞用パネル１０ａと中間土留め用パネル１０ｂの専用２種としたパネル１０は，その双方を，パネル基体１１と該パネル基体１１の長手方向両側に固定し上記パネル連結部１３をパネル基体１１と分離形成したアルミ押し出し成形材によって形成したものとしてあり，このとき上記外側囲繞用パネル１０ａにおけるパネル基体１１を，断面コ字状の樹脂の押し出し成形材によって一連一体に形成し，これと分離形成したパネル連結部１３を，上記パネル基体１１の両側端部を閉塞して内側に箱状をなすように形成し，また上記中間土留め用パネル１０ｂにおけるパネル基体１１を，アルミ板材，特に同じくアルミ押し出し成形材によって一連一体に形成するとともにパネル連結部１３の上下中間に位置するようにパネル連結部１３より短い高さに形成したものとしてある。
【００１２】
即ち本例にあって，上記専用２種の外側囲繞用と中間土留め用のパネル１０は，外側囲繞用パネル１０ａにあっては樹脂の，中間土留め用パネル１０ｂにあってはアルミのそれぞれ押し出し材によるパネル基体１１と，各アルミ押し出し材によるパネル基体１１長手方向両側のパネル連結部１３とによって形成し，パネル基体１１にパネル連結部１３を後付け設置したものとしてあり，このとき外側囲繞用パネル１０ａと中間土留め用パネル１０ｂとを，中間土留め用パネル１０ｂを上記パネル連結部１３より短い高さに形成することにより，これらの間で異高複数種としてあり，また後述のように，本例にあってパネル連結部１３を，特に中間土留めパネル１０ｂにおいて同じく異高複数種としたものとしてある。
【００１３】
上記パネル連結部１３は，これを，それぞれ上記連結支柱１の各側面及び開放面の幅に合わせた同幅とし且つ長さを上記基準長さ又は基準長さの整数倍の連結支柱１に合わせてこれと同長とする基板１４と，該基板１４の両側端（前後端）外側，即ち各正面側に向けたそれぞれ対向方向に，例えば本例において外側囲繞用パネル１０ａにあって傾斜し，中間土留め用パネル１０ｂにあって湾曲するようにそれぞれ短突出して設置した両側端（前後端）一対の突条と上記基板１４との間に形成したＶ字状，Ｃ字状，コ字状等にして各離隔一対の対向方向に開口して基板１４の全長に亘るようにした係合溝１５と，上記基板１４の内側，即ち背面側に突出し，外側囲繞用パネル１０ａにあっては，一方の端部側の前後一方に偏位して位置し且つ上下長さを上記基板１４よりやや短寸にし，中間土留め用パネル１０ｂにあっては，中央位置にして上下長さを上記基板１４と同長とした各パネル固定片１６とをそれぞれ備えたものとしてあり，上記各離隔一対の対向方向に開口する係合溝１５を，上記嵌合用他方にして上記連結支柱１の支柱係合条４に嵌合自在のパネル係合条とし，上記パネル連結部１３を，これらパネル係合条１５を両側端（前後端）に一対有して，上記パネル基体１１長手方向両側に共通にして上記連結支柱１における任意の支柱連結部２にスライド嵌合自在としたものとしてある。
【００１４】
一方上記外側囲繞用パネル１０ａにおけるパネル基体１１は，これを内側上下端部を厚肉に肉盛りしてネジ受け部１２とした以外は同一の肉厚とした断面コ字状のものとするとともにその奥行幅及び長さ（高さ）を上記パネル連結部１３の幅及び長さ，即ち本例にあって基準長さの連結支柱１の幅及び長さと同幅且つ同長とし，上記パネル固定片１６を長手方向端部から断面コ字状の内側に挿入し，上記厚肉のネジ受け部１２に対接し，ネジ止めにより固定することによって，パネル連結部１３を長手方向両側に固定し，該外側囲繞用パネル１０ａを，上記パネル基体１１の両側端部を閉塞して内側に箱状をなすように形成したものとしてあり，また中間土留め用パネル１０ｂのパネル基体１１は，これをフラットな板状のものとするとともにその長さ（高さ）を上記パネル連結部１３の長さ，即ち基準長さの連結支柱１における長さの１／２乃至１／３程度の長さとして，本例にあって上記基準長さとその整数倍の連結支柱１に合わせたパネル連結部１３のそれぞれに上記パネル固定片１６を長手方向端部に重合状に対接し，ネジ止めにより固定することによって，本例の長さを連結支柱１に合わせて異高複数としたパネル連結部１３を長手方向両側に，パネル連結部１３張り出し状且つ上下方向突出状に固定し，該中間土留め用パネル１０ｂを，上記パネル基体１１をパネル連結部１３の上下中間に位置するようにパネル連結部１３より短い高さ幅に形成したものとしてある。
【００１５】
本例の連結支柱１とパネル１０を用いた土留めフレームＡの形成は，出隅において連結支柱１の２面，入隅において４面，横方向又は前後方向中間において３面にそれぞれ外側囲繞用パネル１０ａ又は中間土留め用パネル１０ｂを連結し，これらの内側に位置する連結支柱１においてその各４面にそれぞれ中間土留め用パネル１０ｂを連結して，これを行うものとしてあり，このとき連結支柱１に対する各パネル１０の連結は，連結支柱１の支柱連結部２上端から各パネル１０のパネル連結部１３を下方落し込み状にスライド嵌合することによってこれを行うものとし，これにより土留めフレームＡを，上記各連結支柱１の複数共通の支柱連結部２にパネル１０を交差連結することによって外側に囲繞区画用のパネル１０を囲繞し且つ内側に土留め用のパネル１０を介設して，本例にあって平面外周を桝目形状に組み立て設置したものとしてある。
【００１６】
このとき本例にあって上記連結支柱１を異高複数とし，図１における外側にＬ字状をなす部分に基準長さの整数倍，特に２倍長さの連結支柱１を用い，その余の入隅側部分に基準長さの連結支柱１を用い，上記２倍長さの連結支柱１における上記Ｌ字状の外側に外側囲繞用パネル１０ａを上下２段に配置し，上記Ｌ字状の内側上方に外側囲繞用パネル１０ａを１段配置するとともに，その余の基準長さの連結支柱１に外側囲繞用パネル１０ａを１段配置し，これら外側囲繞用パネル１０ａにより外壁面をなすものとする一方，中間土留め用パネル１０ｂを，上記２倍長さの連結支柱１間にあっては，これと同長のパネル連結部１３を用い，その余の連結支柱１との間にあっては，上記基準長さと同長のパネル連結部１３を用いて，それぞれ連結支柱１間にその各上下中間にパネル基体１１が位置するように配置して，各２段と１段の外側囲繞用パネル１０ａ及び中間土留め用パネル１０ｂにより前方を低くし，後方を高くした段状をなすものとしてあり，これによって土留めフレームＡを，上記平面全面を桝目形状にして且つ上下方向段状に組み立て設置したものとしてある。
【００１７】
このように組み立て設置した土留めフレームＡには，例えば人工土壌による盛り土を施すことによって，花壇を地表，デッキ，屋上，玄関ホール等適宜の場所に設置することができ，このとき例えば上記中のデッキ，玄関ホール等の如くに防水措置を必要とするときは，例えば土留めフレームＡの下面全面に防水シート，防水パネル等を敷設してその防水を行うようにすればよく，これにより花壇として植栽を行ってその使用をすることができる。
【００１８】
以上のように本例の連結支柱１とパネル１０を用いた組立式土留めフレームＡは，簡易且つ確実に形成し得るとともに上記桝目形状のパネルの配置によって土留め効果が高く，強度と耐久性を確保することができ，連結支柱１とパネル１０の組合せによってそのデザインを適宜に変更することが可能であるから，花壇デザインの自由度を確保し，またスライド嵌合の連結を，上記と逆にパネル１０を上方に引き抜くことによって解除して，土留めフレームＡの分解を容易になし得るから，必要に応じて容易に撤去できるものとなる。
【００１９】
図中６は，必要に応じて用いる連結支柱１に着脱自在のキャップを示す。
【００２０】
図示した例は以上のとおりとしたが，連結支柱を基準長さをなす同高単一種とする一方，連結支柱間に長手方向にこれらを連結する連結手段を設けることによって，上記基準長さとその整数倍とによる異高複数種の連結支柱に代えて，連結支柱を連結手段によって連結自在とする基準長さによる同高単一種の連結支柱を用いるようにすること，外側囲繞用パネルと中間土留め用パネルの一方又は双方を，上記コ字状又はフラットなパネル基体或いはその他の，例えばＬ字状，ヨ字状等適宜の断面形状のパネル基体による異形断面形状のパネル基体を用いたものとすること，支柱係合条を嵌合溝，パネル係合条を突条として，連結支柱の支柱連結部とパネルのパネル連結部をスライド嵌合自在とすること，土留めフレームを上下方向段状にするとき，例えば５段乃至６段程度に多段状のものとすること，連結支柱をＸ字状，Ｚ字状等の所定形状のものとすること等を含めて，本発明の実施にあたって，連結支柱，支柱連結部，支柱係合条，パネル，パネル連結部，パネル係合条等の各具体的材質，形状，構造，これらの関係，これらに対する付加，土留めフレームの平面形状，上下方向段数，設置場所等は，上記発明の要旨に反しない限り，これを適宜に変更し，様々な形態のものとすることができる。
【００２１】
【発明の効果】
本発明は以上のとおりに構成したので，請求項１に記載の発明は，大型のものを含めて，花壇を簡易且つ確実に形成し得るとともに土留め効果が高く，強度と耐久性を確保し，花壇デザインの自由度を確保し，また必要に応じて容易に撤去できるようにした花壇の組立式土留めフレームを提供することができ，請求項２に記載の発明は，連結支柱を上記異高複数種のものに代えた形態のものとすることができ，請求項３に記載の発明は，上記組み立て式土留めフレームを用いて自由度を向上し，デザインの多様化を図れるようにした花壇を提供することができる。
【図面の簡単な説明】
【図１】  土留めフレームの平面図である。
【図２】  土留めフレームの正面図である。
【図３】  連結支柱とパネルとの関係を示す斜視図である。
【図４】  土留めフレームの出隅部分における連結支柱とパネルとの関係を示す拡大断面図である。
【図５】  土留めフレームの外側中間位置における連結支柱とパネルとの関係を示す拡大断面図である。
【図６】  土留めフレームの入隅部分における連結支柱とパネルとの関係を示す拡大断面図である。
【図７】  土留めフレームの内側中間位置における連結支柱とパネルとの関係を示す拡大断面図である。
【図８】  外側囲繞用パネルの一部切り欠き平面図である。
【図９】  外側囲繞用パネルの背面図である。
【図１０】  外側囲繞用パネルの側面図である。
【図１１】  中間土留め用パネルの平面図である。
【図１２】  中間土留め用パネルの背面図である。
【図１３】  土留めフレームの他の例を示す平面図である。
【図１４】  図１３の土留めフレームの正面図である。
【符号の説明】
Ａ  土留めフレーム
１  連結支柱
２  支柱連結部
４  支柱係合条
５  受入空隙
１０  パネル
１０ａ  外側囲繞用パネル
１０ｂ  中間土留め用パネル
１３  パネル連結部
１５  パネル係合条
【図１】
0003780093.tif 000002
【図２】
0003780093.tif 000003
【図３】
0003780093.tif 000004
【図４】
0003780093.tif 000005
【図５】
0003780093.tif 000006
【図６】
0003780093.tif 000007
【図７】
0003780093.tif 000008
【図８】
0003780093.tif 000009
【図９】
0003780093.tif 000010
【図１０】
0003780093.tif 000011
【図１１】
0003780093.tif 000012
【図１２】
0003780093.tif 000013
【図１３】
0003780093.tif 000014
【図１４】
0003780093.tif 000015